(57)【要約】【課題】ビデオ画像処理方法及び装置を提供する。【解決手段】該方法は、原ビデオ画像を受信することと、原ビデオ画像の信号クロック周波数に調整処理を行って、処理後のビデオ画像を取得することと、ユーザが入力したコマンド信号を受信した後、所定寸法に応じて、処理後のビデオ画像に切り取り処理を行って、所定寸法の表示ウィンドウに対応するビデオ画像を取得することと、所定寸法の表示ウィンドウに対応するビデオ画像に符号化処理を行って、符号化後のビデオ画像を取得することとを含む。本発明のビデオ画像の処理方法及び装置によれば、入力された画像のクロック周波数を調整して、新しいライン、フィールド、消去同期信号を取得し、その後、ユーザによる画像表示需要に応じて、対応する切り取り処理を行って出力し、任意の解像度のビデオ画像を確実且つ安定的に最適な表示領域範囲に表示する効果を実現することが＆できる。【選択図】図９
2016502126.tif 000002
【特許請求の範囲】
【請求項１】
原ビデオ画像を受信することと、
前記原ビデオ画像の信号クロック周波数に調整処理を行って、処理後のビデオ画像を取得することと、
ユーザが入力したコマンド信号を受信した後、所定寸法に応じて、前記処理後のビデオ画像に切り取り処理を行って、所定寸法の表示ウィンドウに対応するビデオ画像を取得することと、
前記所定寸法の表示ウィンドウに対応するビデオ画像に符号化処理を行って、符号化後のビデオ画像を取得することと、を含むことを特徴とするビデオ画像処理方法。
【請求項２】
前記コマンド信号は所定の横座標と所定の縦座標を含み、
ユーザが入力したコマンド信号を受信した後、所定寸法に応じて、前記処理後のビデオ画像に切り取り処理を行って、前記所定寸法の表示ウィンドウに対応するビデオ画像を取得するステップは、
第１式である
【数１】
2016502126.tif 000011
（ここで、前記Poは固定画素クロック周波数で、前記Piは前記原ビデオ画像の画素クロック周波数で、前記Hitは前記原ビデオ画像の行周期クロック数の合計で、前記Hosは出力ビデオの２行間の有効画素の間隔である）に従って、ピクセルポイント計算を行って、前記所定寸法の表示ウィンドウの横方向の最大ピクセルポイント数Hoを取得することと、
前記所定の横座標に基づいて、前記所定寸法の表示ウィンドウの横方向の最大数のピクセルポイントに切り取り処理を行って、前記所定寸法の表示ウィンドウの横方向のピクセルポイントを取得することと、
前記原ビデオ画像の解像度の垂直縦方向のポイントを前記所定寸法の表示ウィンドウの垂直縦方向のピクセルポイントとすることと、
前記所定寸法の表示ウィンドウの横方向のピクセルポイントと前記垂直縦方向のピクセルポイントに基づいて、前記処理後のビデオ画像に切り取り処理を行って、前記所定寸法の表示ウィンドウに対応するビデオ画像を取得することと、を含むことを特徴とする請求項１に記載の方法。
【請求項３】
前記原ビデオ画像の信号クロック周波数に調整処理を行って、処理後のビデオ画像を取得するステップは、
前記原ビデオ画像の制御信号中の原ライン信号、原フィールド信号、原消去信号、及び原消去マスク信号を抽出することと、
前記原ライン信号をクロックとして、前記原フィールド信号のジャンプ点で前記原フィールド信号のリセットカウントを行ってフィールド同期信号を取得することと、
固定画素クロック周波数をクロックとして、前記原ライン信号のジャンプ点で前記原ライン信号のリセットカウントを行ってライン同期信号を取得することと、
前記ライン同期信号をクロックとし、前記ライン同期信号の同期ヘッドよりも大きい時刻をジャンプ点として、前記原消去信号のリセットカウントを行って消去同期信号を取得することと、
前記消去同期信号をクロックとして、前記消去同期信号のジャンプ点で前記原消去マスク信号のリセットカウントを行って消去マスク信号を取得することと、
前記フィールド同期信号、前記ライン同期信号、前記消去同期信号、及び前記消去マスク信号に基づいて、処理後のビデオ制御信号を生成して前記処理後のビデオ画像を取得することと、を含むことを特徴とする請求項１に記載の方法。
【請求項４】
原ビデオ画像を受信した後、
前記ユーザが入力した前記コマンド信号を受信し、前記コマンド信号に解析処理を行って、前記所定の横座標と前記所定の縦座標を取得することを更に含むことを特徴とする請求項２に記載の方法。
【請求項５】
前記原ビデオ画像の信号クロック周波数に調整処理を行って処理後のビデオ画像を取得する前、
前記原ビデオ画像のデータ信号がＤＤＲ信号であるか否かを検知することと、
前記原ビデオ画像のデータ信号が前記ＤＤＲ信号である場合、前記原ビデオ画像のデータ信号にビット幅調整を行ってクロックシングルエッジ伝送モードの原ビデオ画像を取得することと、を更に含むことを特徴とする請求項１に記載の方法。
【請求項６】
前記原ビデオ画像の信号クロック周波数に調整処理を行って処理後のビデオ画像を取得した後、
前記原ビデオ画像のクロック周波数を記憶クロックとし、前記処理後のビデオ画像の消去信号を記憶イネーブル信号として、前記処理後のビデオ画像にピンポン式アクセス操作を行うことを更に含むことを特徴とする請求項１に記載の方法。
【請求項７】
原ビデオ画像を受信する受信モジュールと、
前記原ビデオ画像の信号クロック周波数に調整処理を行って処理後のビデオ画像を取得する第１の処理モジュールと、
ユーザが入力したコマンド信号を受信した後、所定寸法に応じて、前記処理後のビデオ画像に切り取り処理を行って、前記所定寸法の表示ウィンドウに対応するビデオ画像を取得する第２の処理モジュールと、
前記所定寸法の表示ウィンドウに対応するビデオ画像に符号化処理を行って符号化後のビデオ画像を取得する符号化モジュールと、を含むことを特徴とするビデオ画像処理装置。
【請求項８】
前記コマンド信号は所定の横座標と所定の縦座標を含み、
前記第２の処理モジュールは、
第１式である
【数２】
2016502126.tif 000012
（ここで、前記Poは固定画素クロック周波数で、前記Piは前記原ビデオ画像の画素クロック周波数で、前記Hitは前記原ビデオ画像の行周期クロック数の合計で、前記Hosは出力ビデオの２行間の有効画素の間隔である）に従って、ピクセルポイント計算を行って前記所定寸法の表示ウィンドウの横方向の最大ピクセルポイント数Hoを取得する第１の算出モジュールと、
前記所定の横座標に基づいて、前記所定寸法の表示ウィンドウの横方向の最大数のピクセルポイントに切り取り処理を行って、前記所定寸法の表示ウィンドウの横方向のピクセルポイントを取得し、また、前記原ビデオ画像の解像度の垂直縦方向のピクセルポイントを前記所定寸法の表示ウィンドウの垂直縦方向のピクセルポイントとする第１のサブ処理モジュールと、
前記所定寸法の表示ウィンドウの横方向のピクセルポイントと前記垂直縦方向のピクセルポイントに基づいて、前記処理後のビデオ画像に切り取り処理を行って、前記所定寸法の表示ウィンドウに対応するビデオ画像を取得する第２のサブ処理モジュールと、を含むことを特徴とする請求項７に記載の装置。
【請求項９】
前記第１の処理モジュールは、
前記原ビデオ画像の制御信号中の原ライン信号、原フィールド信号、原消去信号、及び原消去マスク信号を抽出する抽出モジュールと、
前記原ライン信号をクロックとして、前記原フィールド信号のジャンプ点で前記原フィールド信号のリセットカウントを行ってフィールド同期信号を取得する第１のカウントモジュールと、
固定画素クロック周波数をクロックとして、前記原ライン信号のジャンプ点で前記原ライン信号のリセットカウントを行ってライン同期信号を取得する第２のカウントモジュールと、
前記ライン同期信号をクロックとし、前記ライン同期信号の同期ヘッドよりも大きい時刻をジャンプ点として、前記原消去信号のリセットカウントを行って消去同期信号を取得する第３のカウントモジュールと、
前記消去同期信号をクロックとして、前記消去同期信号のジャンプ点で前記原消去マスク信号のリセットカウントを行って消去マスク信号を取得する第４のカウントモジュールと、
前記フィールド同期信号、前記ライン同期信号、前記消去同期信号、及び前記消去マスク信号に基づいて、処理後のビデオ画像の制御信号を生成して前記処理後のビデオ画像を取得する第４のサブ処理モジュールと、を含むことを特徴とする請求項７に記載の装置。
【請求項１０】
前記受信モジュールを実行した後、
前記ユーザが入力した前記コマンド信号を受信し、前記コマンド信号に解析処理を行って前記所定の横座標と前記所定の縦座標を取得する第３の処理モジュールを更に含むことを特徴とする請求項８に記載の装置。
【請求項１１】
前記第１の処理モジュールを実行する前、
前記原ビデオ画像のデータ信号がＤＤＲ信号であるか否かを検知する検知モジュールと、
前記原ビデオ画像のデータ信号が前記ＤＤＲ信号である場合、前記原ビデオ画像のデータ信号にビット幅調整を行ってクロックシングルエッジ伝送モードの原ビデオ画像信号を取得する第４の処理モジュールを更に含むことを特徴とする請求項７に記載の装置。
【請求項１２】
前記第１の処理モジュールを実行した後、
前記原ビデオ画像のクロック周波数を記憶クロックとし、前記処理後のビデオ画像の消去信号を記憶イネーブル信号として、前記処理後のビデオ画像にピンポン式アクセス操作を行う読取モジュールを更に含むことを特徴とする請求項７に記載の装置。
【発明の詳細な説明】
【技術分野】
【０００１】
本発明は、画像処理分野に関し、具体的に、ビデオ画像処理方法及び装置に関する。
【背景技術】
【０００２】
現在、フルカラーＬＥＤディスプレイはスプライス接続型のビデオ表示に汎用されており、即ち、フルカラーＬＥＤスクリーン全体は一定の物理解像度を有する一連の表示ブロックをスプライス接続して構成され、単一の表示ブロックスクリーンの解像度をｎ*ｍ（即ち、有効表示領域にｎ列の画素とｍ行の画素がある）とすると、フルカラーＬＥＤディスプレイ全体がＫ個の横方向の表示ブロックスクリーンとＰ個の縦方向の表示ブロックスクリーンをスプライス接続してなる場合、フルカラーＬＥＤスクリーン全体の表示解像度はＫ*ｎ列の画素、Ｐ*ｍ行の画素である。また、利用者ごとのスクリーン面積に対するニーズが異なっていて、フルカラーＬＥＤスクリーンの表示ブロックのスプライス接続する量も確定されたものではないので、ｎ*ｍ解像度以上の任意の表示領域を構成することができる。しかし、標準的なビデオ信号の有効解像度が決められたもので、例えば、８００*６００、１０２４*７６８、１２８０*１０２４、１９２０*１０８０等があって、例えば１０８０Ｐ信号がＨＤＭＩ信号によるデコード及び解読を経て、その有効ピクセルポイントが横方向の１９２０ピクセルポイント、縦方向の１０８０ピクセルポイントになると、当該ビデオ画像は端末表示機器の物理解像度が１９２０*１０８０ピクセルポイントである時に最適の表示を実現できるが、物理画素が１９２０*１０８０に達していない表示機器の場合、表示する有効領域は画像の一部であって、また、ＬＥＤフルカラースクリーンの現場で使用される物理ピクセルポイントは決められたものではなく、特に、１０８０Ｐ物理ピクセルポイント未満の場合、画像の表示領域に対する要求が異なっているので、フルカラーＬＥＤディスプレイでビデオ画像を表示する際、ピクセルポイントに応じて逐一表示することができなく、ビデオ画像とフルカラーＬＥＤ表示画像との差異をもたらしてしまう。そして、解像度の高いビデオストリーム信号の場合、画像の画素クロック周波数が高いので、ＬＶＤＳ(低圧差動信号)伝送インターフェースに適されるＬＥＤ表示駆動回路の受信に問題をもたらすおそれがあって、例えば、画素クロック周波数が高すぎると、ＬＶＤＳの伝送ビットレートが高く、回路は温度の上昇及びノイズの干渉を受けて、ＬＶＤＳ受信側が不安定になって、即ち、耐干渉性が低下し、さらに、例えば１６００*１２００解像度のような大解像度の場合、クロック周波数が１６２.０Ｍｈｚに達して、ＬＶＤＳプロトコルによってはビデオデータを伝送することができなくなる。
【０００３】
上記問題を解決するため、フルカラーＬＥＤディスプレイで任意の解像度を表示する場合、通常、ＬＥＤスクリーンの表示に適合させるように、スクリーンのサイズに応じて画像に縮小又は拡大処理を行い、例えば、スクリーンの物理的なピクセルポイントがＰ*Ｋ個であるが、画像の解像度がＭ＊Ｎであると、解像度がＭ*Ｎである画像をＰ*Ｋにズーミングして、このような処理を行うと、ビデオ画面を完全に表示することはできるが、当該処理方法によって、先端処理システムの複雑度を高め、コストを上げて、また、画像自体も処理を経てある程度の損失を受けて、画像の品質を低下させてしまう。そして、既存のＬＥＤが使用するネットワーク伝送技術はスクリーンのデータ伝送レートを制限し、例えばＧｂｉｔイーサネットでの単一ポート伝送レートは低圧差動伝送方式より遥かに低く、高精細画像の伝送に不利であるので、高精細画像を伝送するためには複数のイーサネット伝送ポートを増加して同時伝送を行わなければならなく、これによりコストが増加してしまう。
【０００４】
このように、既存技術において、スプライススクリーンに解像度の異なるビデオ画像を表示するために、ビデオ画像にズーミング処理を行い、これにより画像の表示品質を低下させ、且つ、処理フローも複雑になる。
既存技術においてスプライススクリーンに解像度の異なるビデオ画像を表示するためにビデオ画像に縮小又は拡大（ズーミング）処理を行うことによって、表示画像のゆがみが発生する問題について、未だに有効な解決案を提示していない。
【発明の概要】
【発明が解決しようとする課題】
【０００５】
本発明は、既存技術においてスプライススクリーンに解像度の異なるビデオ画像を表示するためにビデオ画像に縮小又は拡大（ズーミング）処理を行うことによって、表示画像のゆがみが発生する問題に鑑み、当該問題を解決できるビデオ画像処理方法及び装置を提供することをその目的とする。
【課題を解決するための手段】
【０００６】
上記目的を実現するため、本発明の一態様によると、原ビデオ画像を受信することと、原ビデオ画像の信号クロック周波数に調整処理を行って、処理後のビデオ画像を取得することと、ユーザが入力したコマンド信号を受信した後、所定寸法に応じて、処理後のビデオ画像に切り取り処理を行って、所定寸法の表示ウィンドウに対応するビデオ画像を取得することと、所定寸法の表示ウィンドウに対応するビデオ画像に符号化処理を行って、符号化後のビデオ画像を取得することと、を含むビデオ画像処理方法を提供する。
【０００７】
さらに、コマンド信号は所定の横座標と所定の縦座標を含み、ユーザが入力したコマンド信号を受信した後、所定寸法に応じて、処理後のビデオ画像に切り取り処理を行って、所定寸法の表示ウィンドウに対応するビデオ画像を取得するステップは、第１式である
【数１】
2016502126.tif 000003
（ここで、Poは固定画素クロック周波数で、Piは原ビデオ画像の画素クロック周波数で、
Hitは原ビデオ画像の行周期クロック数の合計で、Hosは出力ビデオの２行間の有効画素の間隔である）に従って、ピクセルポイント計算を行って、所定寸法の表示ウィンドウの横方向の最大ピクセルポイント数Hoを取得することと、所定の横座標に基づいて、所定寸法の表示ウィンドウの横方向の最大数のピクセルポイントに切り取り処理を行って、所定寸法の表示ウィンドウの横方向のピクセルポイントを取得することと、原ビデオ画像の解像度の垂直縦方向のポイントを前記所定寸法の表示ウィンドウの垂直縦方向のピクセルポイントとすることと、所定寸法の表示ウィンドウの横方向のピクセルポイントと垂直縦方向のピクセルポイントに基づいて、処理後のビデオ画像に切り取り処理を行って、所定寸法の表示ウィンドウに対応するビデオ画像を取得することと、を含む。
【０００８】
さらに、原ビデオ画像の信号クロック周波数に調整処理を行って、処理後のビデオ画像を取得するステップは、原ビデオ画像の制御信号中の原ライン信号、原フィールド信号、原消去信号、及び原消去マスク信号を抽出することと、原ライン信号をクロックとして、原フィールド信号のジャンプ点で原フィールド信号のリセットカウントを行ってフィールド同期信号を取得することと、固定画素クロック周波数をクロックとして、原ライン信号のジャンプ点で原ライン信号のリセットカウントを行ってライン同期信号を取得することと、ライン同期信号をクロックとし、ライン同期信号の同期ヘッドよりも大きい時刻をジャンプ点として、原消去信号のリセットカウントを行って消去同期信号を取得することと、消去同期信号をクロックとして、消去同期信号のジャンプ点で原消去マスク信号のリセットカウントを行って消去マスク信号を取得することと、フィールド同期信号、ライン同期信号、消去同期信号、及び消去マスク信号に基づいて、処理後のビデオ制御信号を生成して処理後のビデオ画像を取得することと、を含む。
【０００９】
さらに、原ビデオ画像を受信した後、方法は、ユーザが入力したコマンド信号を受信し、コマンド信号に解析処理を行って、所定の横座標と所定の縦座標を取得することを更に含む。
【００１０】
さらに、原ビデオ画像の信号クロック周波数に調整処理を行って処理後のビデオ画像を取得する前、方法は、原ビデオ画像のデータ信号がＤＤＲ信号であるか否かを検知することと、原ビデオ画像のデータ信号がＤＤＲ信号である場合、原ビデオ画像のデータ信号にビット幅調整を行ってクロックシングルエッジ伝送モードの原ビデオ画像を取得することと、を更に含む。
【００１１】
さらに、原ビデオ画像の信号クロック周波数に調整処理を行って処理後のビデオ画像を取得した後、方法は、原ビデオ画像のクロック周波数を記憶クロックとし、処理後のビデオ画像の消去信号を記憶イネーブル信号として、処理後のビデオ画像にピンポン式アクセス操作を行うことを更に含む。
【００１２】
上記目的を実現するため、本発明の一態様によると、原ビデオ画像を受信する受信モジュールと、原ビデオ画像の信号クロック周波数に調整処理を行って処理後のビデオ画像を取得する第１の処理モジュールと、ユーザが入力したコマンド信号を受信した後、所定寸法に応じて、処理後のビデオ画像に切り取り処理を行って、所定寸法の表示ウィンドウに対応するビデオ画像を取得する第２の処理モジュールと、所定寸法の表示ウィンドウに対応するビデオ画像に符号化処理を行って符号化後のビデオ画像を取得する符号化モジュールと、を含むビデオ画像処理装置を提供する。
【００１３】
さらに、コマンド信号は所定の横座標と所定の縦座標を含み、第２の処理モジュールは、第１式である
【数２】
2016502126.tif 000004
（ここで、Poは固定画素クロック周波数で、Piは原ビデオ画像の画素クロック周波数で、
Hitは原ビデオ画像の行周期クロック数の合計で、Hosは出力ビデオの２行間の有効画素の間隔である）に従って、ピクセルポイント計算を行って所定寸法の表示ウィンドウの横方向の最大ピクセルポイント数Hoを取得する第１の算出モジュールと、所定の横座標に基づいて、所定寸法の表示ウィンドウの横方向の最大数のピクセルポイントに切り取り処理を行って、所定寸法の表示ウィンドウの横方向のピクセルポイントを取得し、また、原ビデオ画像の解像度の垂直縦方向のピクセルポイントを所定寸法の表示ウィンドウの垂直縦方向のピクセルポイントとする第１のサブ処理モジュールと、所定寸法の表示ウィンドウの横方向のピクセルポイントと垂直縦方向のピクセルポイントに基づいて、処理後のビデオ画像に切り取り処理を行って、所定寸法の表示ウィンドウに対応するビデオ画像を取得する第２のサブ処理モジュールと、を含む。
【００１４】
さらに、第１の処理モジュールは、原ビデオ画像の制御信号中の原ライン信号、原フィールド信号、原消去信号、及び原消去マスク信号を抽出する抽出モジュールと、原ライン信号をクロックとして、原フィールド信号のジャンプ点で原フィールド信号のリセットカウントを行ってフィールド同期信号を取得する第１のカウントモジュールと、固定画素クロック周波数をクロックとして、原ライン信号のジャンプ点で原ライン信号のリセットカウントを行ってライン同期信号を取得する第２のカウントモジュールと、ライン同期信号をクロックとし、ライン同期信号の同期ヘッドよりも大きい時刻をジャンプ点として、原消去信号のリセットカウントを行って消去同期信号を取得する第３のカウントモジュールと、消去同期信号をクロックとして、消去同期信号のジャンプ点で原消去マスク信号のリセットカウントを行って消去マスク信号を取得する第４のカウントモジュールと、フィールド同期信号、ライン同期信号、消去同期信号、及び消去マスク信号に基づいて、処理後のビデオ画像の制御信号を生成して処理後のビデオ画像を取得する第４のサブ処理モジュールと、を含む。
【００１５】
さらに、受信モジュールを実行した後、装置は、ユーザが入力したコマンド信号を受信し、コマンド信号に解析処理を行って所定の横座標と所定の縦座標を取得する第３の処理モジュールを更に含む。
【００１６】
さらに、第１の処理モジュールを実行する前、装置は、原ビデオ画像のデータ信号がＤＤＲ信号であるか否かを検知する検知モジュールと、原ビデオ画像のデータ信号がＤＤＲ信号である場合、原ビデオ画像のデータ信号にビット幅調整を行ってクロックシングルエッジ伝送モードの原ビデオ画像信号を取得する第４の処理モジュールを更に含む。
【００１７】
さらに、第１の処理モジュールを実行した後、装置は、原ビデオ画像のクロック周波数を記憶クロックとし、処理後のビデオ画像の消去信号を記憶イネーブル信号として、処理後のビデオ画像にピンポン式アクセス操作を行う読取モジュールを更に含む。
【発明の効果】
【００１８】
本発明のビデオ画像の処理方法及び装置によれば、入力された画像のクロック周波数を調整し、新しいライン、フィールド、消去同期信号を取得し、且つ新しいビデオ画像を取得した後、ユーザによる画像表示の需要に応じて、対応する切り取り処理を行って出力することで、既存技術において、スプライススクリーンに解像度の異なるビデオ画像を表示するためにビデオ画像に縮小又は拡大（ズーミング）処理を行うことによって表示画像のゆがみが発生するという問題を解決し、任意の解像度のビデオ画像を確実且つ安定的に最適の表示領域範囲に表示する効果を実現することができる。
【図面の簡単な説明】
【００１９】
【図１】図１は、本発明の実施例に係るビデオ画像処理装置の構造を示す図である。
【図２】図２は、本発明の実施例に係るビデオ画像処理装置の詳細な構造を示す図である。
【図３】図３は、本発明の実施例に係る表示ウィンドウでビデオ画像を出力する第１の横方向画面を示す図である。
【図４】図４は、本発明の実施例に係る表示ウィンドウでビデオ画像を出力する第２の横方向画面を示す図である。
【図５】図５は、本発明の実施例に係る表示ウィンドウでビデオ画像を出力する第３の横方向画面を示す図である。
【図６】図６は、本発明の実施例に係る表示ウィンドウでビデオ画像を出力する縦方向画面を示す図である。
【図７】図７は、本発明の実施例に係る表示ウィンドウでビデオ画像を出力するスプライス接続画面を示す図である。
【図８】図８は、本発明の実施例に係る第３のカウントモジュールによるカウント処理の波形を示す図である。
【図９】図９は、本発明の実施例に係るビデオ画像処理方法を示すフローチャートである。
【図１０】図１０は、図９に示す実施例に係るビデオ画像処理方法を示すフローチャートである。
【発明を実施するための形態】
【００２０】
ここで説明する図面は本発明を理解させるためのもので、本発明の一部を構成し、本発明における実施例と共に本発明を解釈し、本発明を不当に限定するのではない。
【００２１】
ここで、衝突しない限り、本願の実施例及び実施例中の特徴を互いに結合することができる。以下、図面を参照しつつ実施例を結合して本発明の実施例を説明する。
図１は、本発明の実施例に係るビデオ画像処理装置の構造を示す図である。図２は、本発明の実施例に係るビデオ画像処理装置の詳細な構造を示す図である。
【００２２】
図１と図２に示すように、当該装置は、原ビデオ画像を受信する受信モジュール１０と、原ビデオ画像の信号クロック周波数に調整処理を行って処理後のビデオ画像を取得する第１の処理モジュール３０と、ユーザが入力したコマンド信号を受信した後、所定寸法に応じて、処理後のビデオ画像に切り取り処理を行って所定寸法の表示ウィンドウに対応するビデオ画像を取得する第２の処理モジュール５０と、所定寸法の表示ウィンドウに対応するビデオ画像に符号化処理を行って符号化後のビデオ画像を取得する符号化モジュール７０と、を含む。
【００２３】
本願のビデオ画像処理装置によると、受信モジュールによって、入力された原ビデオ画像を受信し、その後、第１の処理モジュールによって原ビデオ画像の信号クロック周波数に調整処理を行って処理後のビデオ画像を取得し、第２の処理モジュールによってユーザが入力したコマンド信号を受信した後、所定寸法に応じて、処理後のビデオ画像に切り取り処理を行って所定寸法の表示ウィンドウに対応するビデオ画像を取得し、最後に、符号化モジュールによって所定寸法の表示ウィンドウに対応するビデオ画像に符号化処理を行って符号化後のビデオ画像を取得する。本願のビデオ画像の処理装置によれば、入力された画像のクロック周波数を調整して新しいビデオ画像を取得し、その後、ユーザによる画像表示の需要に応じて、対応する切り取り処理を行って出力することによって、既存技術においてスプライススクリーンに解像度の異なるビデオ画像を表示するためにビデオ画像に縮小又は拡大（ズーミング）処理を行うことによって表示画像のゆがみが発生する問題を解決し、確実且つ安定的に任意の解像度のビデオ画像を最適な表示領域範囲内に表示する効果を実現することができる。
【００２４】
上記実施例において、第２の処理モジュール５０は表示ウィンドウをオープンし、その後、画像表示領域の左上隅の画素座標（例えば、横座標はＸ、縦座標はＹ）を設定してビデオ画像を定義して出力することで、処理後のビデオ画像の切り取り・出力を実現し、また、オープンされた有効画像表示ウィンドウの面積は、入力画像（即ち、上記実施例中の原ビデオ画像）の解像度の違いによって異なる。ここで、所定寸法の表示ウィンドウは、スプライス接続型フルカラーＬＥＤディスプレイの表示スクリーンの大きさであることができる。
【００２５】
上記実施例において、図２に示すように、符号化モジュール７０はＬＶＤＳ符号化器によって実現されることができ、即ち、符号化器によって、対応する表示ウィンドウの出力ビデオをシリアルビットレートの方式で表示ウィンドウに出力し、例えば１０：１の方式で並列直列処理を行って、これにより、ＬＶＤＳのビットレートは表示ウィンドウの出力クロック周波数の１０倍であって、例えば、Poが７５Ｍｈｚの表示ウィンドウの画素クロックであると、ＬＶＤＳのビットレートは７５０Ｍｂｐｓに達し、また、ＬＶＤＳが差動低圧伝送であるので、伝送ビットレートが高く、電力消費が低く、信頼性が高く、伝送ピンが少ないという特徴を実現することができる。
【００２６】
本願の上記実施例によると、コマンド信号は所定の横座標と所定の縦座標を含み、ここで、第２の処理モジュールは、第１式に従ってピクセルポイント計算を行って所定寸法の表示ウィンドウの横方向の最大ピクセルポイント数Hoを取得する第１の算出モジュール（ここで、第１式は
【数３】
2016502126.tif 000005
で、
Poは固定画素クロック周波数、Piは原ビデオ画像の画素クロック周波数、Hitは原ビデオ画像の行周期クロック数の合計、Hosは出力ビデオの２行間の有効画素の間隔）と、所定の横座標に基づいて、所定寸法の表示ウィンドウの横方向の最大数のピクセルポイントに切り取り処理を行って所定寸法の表示ウィンドウの横方向のピクセルポイントを取得するとともに、原ビデオ画像の解像度の垂直（縦）方向のピクセルポイントを所定寸法の表示ウィンドウの垂直（縦）方向のピクセルポイントとする第１のサブ処理モジュールと、所定寸法の表示ウィンドウの横方向のピクセルポイントと垂直（縦）方向のピクセルポイントに基づいて、処理後のビデオ画像に切り取り処理を行って所定寸法の表示ウィンドウに対応するビデオ画像を取得する第２のサブ処理モジュールと、を含む。ここで、図２に示すビデオ制御信号プロセッサによって上記第２の処理モジュールの機能を実現することができ、具体的には、フィールド同期信号、ライン同期信号、消去同期信号、及び消去マスク信号に基づいて、処理後のビデオ制御信号を生成し、また、処理後のビデオ制御信号に基づいて、原ビデオ画像のデジタル信号に補正処理を行って処理後のビデオ画像を取得する。
【００２７】
具体的に、第１の算出モジュールにより第１式に従ってピクセルポイント計算を行って所定寸法の表示ウィンドウの横方向の最大ピクセルポイント数Hoを取得し、その後、第１のサブ処理モジュールにより所定の横座標に基づいて、所定寸法の表示ウィンドウの横方向の最大数のピクセルポイントに切り取り処理を行って所定寸法の表示ウィンドウの横方向のピクセルポイントを取得するとともに、原ビデオ画像の解像度の垂直（縦）方向のピクセルポイントを所定寸法の表示ウィンドウの垂直（縦）方向のピクセルポイントとして、その後、第３のサブ処理モジュールにより、第２のサブ処理モジュールが処理して得た所定寸法の表示ウィンドウの横方向のピクセルポイントと垂直（縦）方向のピクセルポイントに基づいて、処理後のビデオ画像を切り取って所定寸法の表示ウィンドウに対応するビデオ画像を取得する。
【００２８】
ここで、第１式は
【数４】
2016502126.tif 000006
であって、Poは常数で、固定画素クロック周波数であって、Piは原ビデオ画像の画素クロック周波数、Hitは原ビデオ画像の行周期クロック数の合計、Hosは出力ビデオの２行間の有効画素の間隔、Hoはメモリが読み取り可能な最大ピクセルポイント数である。
【００２９】
図３は本発明の実施例に係る表示ウィンドウでビデオ画像を出力する第１の横方向画面を示す図で、図４は本発明の実施例に係る表示ウィンドウでビデオ画像を出力する第２の横方向画面を示す図で、図５は本発明の実施例に係る表示ウィンドウでビデオ画像を出力する第３の横方向画面を示す図で、図６は本発明の実施例に係る表示ウィンドウでビデオ画像を出力する縦方向画面を示す図で、図７は本発明の実施例に係る表示ウィンドウでビデオ画像を出力するスプライス接続型画面を示す図である。ここで、上記図３〜図７における表示ウィンドウはいずれも所定寸法の表示ウィンドウで、入力ビデオはいずれも第１の処理モジュール３０による処理を経たビデオ画像であることができる。
【００３０】
例えば、入力されたビデオ画像（即ち、原ビデオ画像）の解像度Ｍ＊Ｎを例とし、オープンされた画像表示ウィンドウのビデオデータの出力が終始Poに固定されているとすると、オープンされた表示ウィンドウの横方向の有効ピクセルポイント数Hoは最高で
【数５】
2016502126.tif 000007
に達することができる。
上記式において、Hoは所定寸法の表示ウィンドウから出力される最大ピクセルポイント数で、Poは固定画素クロック周波数で、Piは入力ビデオ（即ち、上記実施例中の原ビデオ画像）の画素クロック周波数で、Hitは入力ビデオの解像度の行周期クロック数の合計で、Hosは出力ビデオの２行間の有効画素の間隔、即ち、隣り合う２行のうち、前行の最後の有効画素と後の行の一番目の有効画素との間の時間間隔である（画素クロック周期の個数で算出）。ここで、固定周波数Poが大きいほど、オープンされるウィンドウの寸法は大きいが、システムの安定性に影響を与えることになるので、本実施例中の固定クロック周波数Poは７５Ｍｈｚであることができる。
【００３１】
上記実施例において、図３に示すように、Po>Piであると、所定寸法のオープンされたウィンドウは入力ビデオの解像度の横方向のピクセルポイントを完全に出力でき、即ち、オープンされた所定寸法の表示ウィンドウの横方向の幅は、原ビデオ画像の横方向の幅よりも大きい。具体的に、ユーザが表示ウィンドウの左上隅の初期位置の横座標Ｘを０に設定すると、オープンされたウィンドウに表示される一番目の画素は入力ビデオ画像（即ち、原ビデオ画像）の一番目のピクセルポイントであって、オープンされたウィンドウの横方向のピクセルポイント数が入力画像の横方向のピクセルポイント数を超えると、入力画像の横方向の画面を完全に表示することができる。
【００３２】
図４と図５に示すように、入力画像の横方向のピクセルポイント数がオープンされたウィンドウのピクセルポイント数を超えると、オープンされたウィンドウに表示される画像は入力画像の一部の領域であって、当該領域は設定されたＸ座標によって移動され、ユーザが入力した所定の座標が（ｎ１、０）であると、処理後のビデオ画像をｎ１個の座標だけ右へ平行移動させ、ユーザが入力した所定の座標が（ｎ２、０）であると、処理後のビデオ画像をｎ２個の座標だけ右へ平行移動させる。
【００３３】
本願の上記実施例において、所定寸法の表示ウィンドウの垂直（縦）方向のピクセルポイントの最大表示可能数は、実際の入力画像の有効画素の垂直ポイント数と同じであり、例えば、１２８０*１０２４@６０ｈｚの画像解像度の場合、その表示ウィンドウの垂直ポイント数は最高で１０２４である。図６に示すように、ユーザが設定したＹ座標が０である場合、その表示ウィンドウの垂直ポイント数はちょうど、入力画像の垂直ポイント数と同じである。しかし、ＬＥＤフルカラースクリーンの実際に使用されるポイント数が不確定であるので、ユーザは図６に示す実施例に従ってＹ座標を調整して画像表示の選択を行っても良く、即ち、ユーザが入力した所定の座標（ｎ、ｍ）に基づいて、表示ウィンドウの出力ビデオ画像の第１行第１列の一番目のピクセルポイントの座標を設定する。
【００３４】
上述のように、本願の上記実施例において、ユーザがＬＥＤフルカラースクリーンの表示領域を任意に調整して、処理後のビデオ画像から画像を切り取って最適な表示映像を得ることができ、そして、図７に示すように、ユーザは、高解像度の画像について、表示ウィンドウの出力を増加してスプライス接続することができ、処理後のビデオ画像の横方向のピクセルポイント数が所定寸法の表示ウィンドウの横方向の最大ピクセルポイント数の２倍である場合、二つの表示スクリーンをスプライス接続して表示することができ、この時、ユーザが二つの表示スクリーンの所定の座標をそれぞれ（０、０）と（ｎ、０）に設定すると、二つの表示スクリーンの第１行の一番目のピクセルポイントの座標点（ｘ１、ｙ１）と（ｘ２、ｙ２）はそれぞれ（０、０）と（ｎ、０）であって、ここで、ｎ=ｘ１+１であって、図７中のｍは０であってもよい。
【００３５】
設定されたＹ座標について、上記ステップを経て新たに発生したフィールド、ライン、消去信号に調整を行わなければならず、例えば、座標Ｙを１５に設定すると、新しい消去同期信号をクロックとしてカウントを行い、新しいフィールド同期ジャンプによりリセットを行って、対応する消去マスク信号を発生させなければならない。例えば、０〜１４のカウント値について、マスク信号は無効で０であるが、その他について、マスク信号は有効である。マスクされた後、０〜１４行のデータがシールドされ、同時に、フィールド同期信号が１５個の消去周期の時間値だけ後ろ向きにシフトされ、一番目の消去行データとの位相を保持する。
【００３６】
なお、新しいビデオ制御信号の発生及び操作、メモリにより読み取られたクロックはいずれも、図２に示すクロック発生器によって、設定された固定画素クロック周波数で行われることができる。
【００３７】
本願の上記実施例によれば、画像の任意領域の表示及びスプライス接続を実現することができると共に、ＬＥＤの実際応用の需要に柔軟に応えることができ、一定の低伝送ビットレートでＬＥＤスクリーンとの信号伝送を実現することができ、システムの信頼性を向上させることができる。
【００３８】
本発明の上記実施例において、第１の処理モジュール３０は、原ビデオ画像の制御信号中の原ライン信号、原フィールド信号、原消去信号、及び原消去マスク信号を抽出する抽出モジュールと、原ライン信号をクロックとして、原フィールド信号のジャンプ点で、原フィールド信号のリセットカウントを行ってフィールド同期信号を取得する第１のカウントモジュールと、固定画素クロック周波数をクロックとして、原ライン信号のジャンプ点で、原ライン信号のリセットカウントを行ってライン同期信号を取得する第２のカウントモジュールと、ライン同期信号をクロックとし、ライン同期信号の同期ヘッドよりも大きい時刻をジャンプ点として原消去信号のリセットカウントを行って消去同期信号を取得する第３のカウントモジュールと、消去同期信号をクロックとして、消去同期信号のジャンプ点で、原消去マスク信号のリセットカウントを行って消去マスク信号を取得する第４のカウントモジュールと、フィールド同期信号、ライン同期信号、消去同期信号、及び消去マスク信号に基づいて、処理後のビデオ画像の制御信号を生成して、処理後のビデオ画像を取得する第４のサブ処理モジュールと、を含むことができる。
【００３９】
具体的に、抽出モジュールによって原ビデオ画像の制御信号中の原ライン信号、原フィールド信号、原消去信号、及び原消去マスク信号を抽出し、上記信号を以下のモジュールによるカウントに応用する。ここで、第１のカウントモジュールは、原ライン信号をクロックとして、原フィールド信号のジャンプ点で原フィールド信号のリセットカウントを行ってフィールド同期信号を取得し、また、第２のカウントモジュールは固定画素クロック周波数をクロックとして、原ライン信号のジャンプ点で原ライン信号のリセットカウントを行ってライン同期信号を取得し、また、第３のカウントモジュールはライン同期信号をクロックとし、ライン同期信号の同期ヘッドよりも大きい時刻をジャンプ点として原消去信号のリセットカウントを行って消去同期信号を取得し、また、第４のカウントモジュールは消去同期信号をクロックとして、消去同期信号のジャンプ点で原消去マスク信号のリセットカウントを行って消去マスク信号を取得する。上記モジュールを実行した後、第４のサブ処理モジュールは、上記モジュールを実行して取得したフィールド同期信号、ライン同期信号、消去同期信号、及び消去マスク信号に基づいて、処理後のビデオ画像の制御信号を生成して、処理後のビデオ画像を取得する。
【００４０】
図８は本発明の実施例に係る第３のカウントモジュールによるカウント処理の波形を示す図である。
例えば、第１のカウントモジュールは原ビデオの制御信号にクロック周波数処理を行ってフィールド同期信号を生成する。ビデオにより出力されたフィールド信号が元のフィールド信号（即ち、原ビデオ画像の制御信号中のフィールド信号）のジャンプを境界とし、ライン信号をクロックとして、元のフィールド信号のリセットカウントが行われ、カウントの期間、０〜ｎ１(０からｎ１まで)がフィールド信号の同期ヘッドとして設定され、フィールド信号がローレベルで、他のカウント値がハイであり、新しいフィールド同期信号（即ち、上記実施例中のフィールド同期信号）が生成される。第２のカウントモジュールは原ビデオの制御信号にクロック周波数処理を行ってフィールド同期信号を生成する。新しいライン同期信号について、元のライン信号（即ち、原ビデオ画像の制御信号中のライン信号）のジャンプを境界とし、出力クロック（即ち、固定クロック周波数Po）をクロックとしてリセットカウントを行い、そのうち、０〜ｍ１がライン信号同期として設定され（即ち、ライン信号がローレベルである）、他のカウント値がハイであり、新しいライン同期信号（即ち、上記実施例中のライン同期信号）が生成される。第３のカウントモジュールは原ビデオの制御信号にクロック周波数処理を行ってフィールド同期信号を生成する。図８に示すように、新しい消去同期信号の生成は新しいライン同期信号をクロックとし、且つ新しい消去同期信号の同期ヘッドは新しいライン同期信号の同期ヘッドより大きい。なお、新しい消去同期信号はメモリの読取に緊密に関連つけられていて、消去信号がハイであると、メモリは所定寸法の表示ウィンドウの対応する行の一番目のデータを読み取って出力する。例えば、０〜ｍ２（ｍ２>ｍ１）がロー消去信号として設定されると、ｍ２+１からメモリの画素データが読み取られる。（ｍ２+１）〜ｍ３の期間において、消去信号はハイであって、即ち、画素データの出力時間であって、その他には、消去信号はローになる。
【００４１】
本願の上記実施例によると、受信モジュール１０を実行した後、上記装置は、ユーザが入力したコマンド信号を受信し、コマンド信号に解析処理を行って所定の横座標と所定の縦座標を取得する第３の処理モジュールを更に含むことができる。
【００４２】
具体的に、受信モジュールを実行した後、当該装置に第３の処理モジュールが更に設けられることができ、つまり、図２に示す表示ウィンドウ座標解析プロセッサによって、ユーザが入力したコマンド信号に解析処理を行い、通常、ＳＰＩのプロトコル方式で、コマンドキーワード、コマンドアドレス、コマンドデータを含むコマンドワードを伝送し、ＳＰＩプロトコルに基づく解析を経て、コマンドを、並行するアドレス、データ、制御信号に解析して、対応する処理モジュールに伝送する。
【００４３】
本願の上記実施例において、第１の処理モジュール３０を実行する前、上記装置は、原ビデオ画像のデータ信号がＤＤＲ信号であるか否かを検知する検知モジュールと、原ビデオ画像のデータ信号がＤＤＲ信号である場合、原ビデオ画像のデータ信号にビット幅調整を行ってクロックシングルエッジ伝送モードの原ビデオ画像を取得する第４の処理モジュールと、を更に含むことができる。
【００４４】
具体的に、受信モジュール１０（図２に示すデータ受信器によって受信モジュールの機能を実現することができる）によって、入力されたビデオ画像（即ち、上記実施例中の原ビデオ画像）を受信し、上記実施例中の受信モジュール１０は原ビデオ画像を受信した後、データ受信器を用いて、原ビデオ画像中のビデオデータ信号を抽出して、当該ビデオデータ信号にデータ同期処理を行い、つまり、ビット幅調整を行うことができ、ビデオデータ信号がＤＤＲ信号である場合、ＤＤＲダブルエッジ入力モードをクロックシングルエッジ出力モードに調整する。また、第１の処理モジュール３０を実行した後、上記モジュールで取得したビデオデータ信号の調整を行って処理後のビデオデータを取得することができる。
【００４５】
そして、第１の処理モジュール３０を実行した後、上記装置は、原ビデオ画像のクロック周波数を記憶クロックとし、処理後のビデオ画像の消去信号を記憶イネーブル信号として、処理後のビデオ画像にピンポン式アクセス操作を行う読取モジュールを更に含むことができる。
【００４６】
具体的に、第１の処理モジュール３０を実行した後、読取モジュールは処理後のビデオ画像にピンポン式アクセス操作を行い、ここで、読取モジュールはサイズが２０４８ｂｉｔ（又は４０９６ｂｉｔ）である二つのメモリによって実現されることができる。具体的に、１行周期において、その中の一つのメモリ１が記憶し、他の一つのメモリ２がビデオ画像を読み取り、次の行周期において、メモリ２が記憶し、メモリ１が読み取りを行い、交互にアクセス操作を行う。データ記憶の場合、元の入力クロックが記憶クロックとされ、消去信号が記憶イネーブル信号とされ、アドレスが０から順にクロックのティックで逓増され、行データが最左側から最右側へアドレス０から順にインクリメンタル（incrementally）にアクセスされ、各アドレスごとに一つのピクセルポイントデータのアクセスが行われる。
【００４７】
また、当該装置は、符号化モジュール７０を実行する前、選択器を更に含むことができ、当該選択器はピンポン操作が行われる読取メモリを切り替えることができ、即ち、読取メモリのデータを出力するための読取メモリに常に切り替えることができる。
【００４８】
図９は本発明の実施例に係るビデオ画像処理方法を示すフローチャートである。図１０は図９に示す実施例に基づくビデオ画像処理方法を示すフローチャートである。
図９と図１０に示すように、当該方法は以下のステップを含む：
原ビデオ画像を受信する（ステップＳ１０２）。
原ビデオ画像の信号クロック周波数に調整処理を行って処理後のビデオ画像を取得する（ステップＳ１０４）。
ユーザが入力したコマンド信号を受信した後、所定寸法に応じて、処理後のビデオ画像に切り取り処理を行って所定寸法の表示ウィンドウに対応するビデオ画像を取得する（ステップＳ１０６）。
所定寸法の表示ウィンドウに対応するビデオ画像に符号化処理を行って符号化後のビデオ画像を取得する（ステップＳ１０８）。
【００４９】
本願のビデオ画像処理方法によると、入力された原ビデオ画像を受信した後、原ビデオ画像の信号クロック周波数に調整処理を行って処理後のビデオ画像を取得し、また、ユーザが入力したコマンド信号を受信した後、所定寸法に応じて、処理後のビデオ画像に切り取り処理を行って所定寸法の表示ウィンドウに対応するビデオ画像を取得し、最後に、所定寸法の表示ウィンドウに対応するビデオ画像に符号化処理を行って符号化後のビデオ画像を取得する。本願のビデオ画像の処理方法によれば、入力された画像のクロック周波数を調整して新しいビデオ画像を取得し、その後、ユーザによる画像表示の需要に応じて、対応する切り取りを行って出力することによって、既存技術において、入力されたビデオの解像度又はフィールド周波数が異なる場合、スプライススクリーンの画像表示要求を満たすために画像に縮小又は拡大（ズーミング）処理を行うことによって画像のゆがみが発生する問題を解決し、任意の解像度のビデオ画像を確実且つ安定的に最適な表示領域範囲内に表示する効果を実現することができる。
【００５０】
図１０に示すように、ステップＳ２０２において、ビデオ画像を受信し、上記実施例におけるステップＳ１０２を実現することができ、ステップＳ２０４において、原ビデオ画像を処理するとともに、処理後のビデオ画像をバッファリングし、上記実施例中のステップＳ１０４〜ステップ１０６は全て図１０中のステップＳ２０４で実現されることができ、また、図９中のステップＳ１０８は、図１０中のステップＳ２０８で実現されることができ、ステップＳ２０８において、ビデオ画像に符号化処理を行う。具体的に、ステップＳ１０６を以下の方法で実現することができる：表示ウィンドウをオープンし、その後、画像表示領域の左上隅の画素座標（例えば、横座標はＸで、縦座標はＹである）を設定してビデオ画像を定義して出力することで、処理後のビデオ画像を切り取って出力し、また、オープンされた有効画像表示ウィンドウの面積は入力画像（即ち、上記実施例中の原ビデオ画像）の解像度の違いによって異なる。ここで、所定寸法の表示ウィンドウはスプライス接続型フルカラーＬＥＤディスプレイの表示スクリーンのサイズであることができる。なお、ステップＳ２０４は、ユーザのコマンド信号を受信して解析するステップＳ２０６の後に実行されてもよい。
【００５１】
上記実施例において、ステップＳ１０８はＬＶＤＳ符号化器によって実現されることができ、即ち、符号化器によって、対応する表示ウィンドウの出力ビデオをシリアルビットレートの方式で表示ウィンドウに出力し、例えば１０：１の方式で並列直列処理を行って、これにより、ＬＶＤＳのビットレートは表示ウィンドウの出力クロック周波数の１０倍であって、例えば、Poが７５Ｍｈｚの表示ウィンドウの画素クロックであると、ＬＶＤＳのビットレートは７５０Ｍｂｐｓに達し、また、ＬＶＤＳが差動低圧伝送であるので、伝送ビットレートが高く、電力消費が低く、信頼性が高く、伝送ピンが少ないという特徴を実現することができる。
【００５２】
本願の上記実施例において、コマンド信号は所定の横座標と所定の縦座標を含み、ユーザが入力したコマンド信号を受信した後、所定寸法に応じて、処理後のビデオ画像に切り取り処理を行って所定寸法の表示ウィンドウに対応するビデオ画像を取得するステップは、第１式に従ってピクセルポイント計算を行って所定寸法の表示ウィンドウの横方向の最大ピクセルポイント数Hoを得る（ここで、第１式は
【数６】
2016502126.tif 000008
であって、Poは固定画素クロック周波数で、Piは原ビデオ画像の画素クロック周波数で、
Hitは原ビデオ画像の行周期クロック数の合計で、Hosは出力ビデオの２行間の有効画素の間隔である）ことと、所定の横座標に基づいて、所定寸法の表示ウィンドウの横方向の最大数のピクセルポイントに切り取り処理を行って所定寸法の表示ウィンドウの横方向のピクセルポイントを取得することと、原ビデオ画像の解像度の垂直（縦）方向のピクセルポイントを所定寸法の表示ウィンドウの垂直（縦）方向のピクセルポイントとすることと、所定寸法の表示ウィンドウの横方向のピクセルポイントと垂直（縦）方向のピクセルポイントに基づいて、処理後のビデオ画像に切り取り処理を行って所定寸法の表示ウィンドウに対応するビデオ画像を取得することとを含む。ここで、フィールド同期信号、ライン同期信号、消去同期信号、及び消去マスク信号に基づいて、処理後のビデオ制御信号を生成するとともに、処理後のビデオ制御信号に基づいて、原ビデオ画像のデジタル信号に補正処理を行って処理後のビデオ画像を取得する。
【００５３】
具体的に、コマンド信号は所定の横座標と所定の縦座標を含み、ユーザが入力したコマンド信号を受信した後、所定寸法に応じて、処理後のビデオ画像に切り取り処理を行って所定寸法の表示ウィンドウに対応するビデオ画像を取得するステップを以下の方法で実現することができる：第１式に従ってピクセルポイント計算を行い、所定寸法の表示ウィンドウの横方向の最大ピクセルポイント数Hoを取得した後、所定の横座標に基づいて、所定寸法の表示ウィンドウの横方向の最大数のピクセルポイントに切り取り処理を行って所定寸法の表示ウィンドウの横方向のピクセルポイントを取得し、また、原ビデオ画像の解像度の垂直（縦）方向のピクセルポイントを所定寸法の表示ウィンドウの垂直（縦）方向のピクセルポイントとし、その後、所定寸法の表示ウィンドウの横方向のピクセルポイントと垂直（縦）方向のピクセルポイントに基づいて、処理後のビデオ画像を切り取って所定寸法の表示ウィンドウに対応するビデオ画像を取得する。ここで、第１式は
【数７】
2016502126.tif 000009
であって、Poは固定画素クロック周波数で、Piは原ビデオ画像の画素クロック周波数で、
Hitは原ビデオ画像の行周期クロック数の合計で、Hosは出力ビデオの２行間の有効画素の間隔である。
【００５４】
図３は本発明の実施例に係る表示ウィンドウでビデオ画像を出力する第１の横方向画面を示す図で、図４は本発明の実施例に係る表示ウィンドウでビデオ画像を出力する第２の横方向画面を示す図で、図５は本発明の実施例に係る表示ウィンドウでビデオ画像を出力する第３の横方向画面を示す図で、図６は本発明の実施例に係る表示ウィンドウでビデオ画像を出力する縦方向画面を示す図で、図７は本発明の実施例に係る表示ウィンドウでビデオ画像を出力するスプライス接続型画面を示す図である。ここで、上記図３〜図７における表示ウィンドウはいずれも所定寸法の表示ウィンドウで、入力ビデオはいずれも第１の処理モジュール３０による処理を経たビデオ画像であることができる。
【００５５】
例えば、入力されたビデオ画像（即ち、原ビデオ画像）の解像度Ｍ＊Ｎを例とし、オープンされた画像表示ウィンドウのビデオデータの出力が終始Poに固定されているとすると、オープンされた表示ウィンドウの横方向の有効ピクセルポイント数Hoは最高で
【数８】
2016502126.tif 000010
に達することができる。
上記式において、Hoは所定寸法の表示ウィンドウから出力される最大ピクセルポイント数で、Poは固定画素クロック周波数で、Piは入力ビデオ（即ち、上記実施例中の原ビデオ画像）の画素クロック周波数で、Hitは入力ビデオの解像度の行周期クロック数の合計で、Hosは出力ビデオの２行間の有効画素の間隔、即ち、隣り合う２行のうち、前行の最後の有効画素と後の行の一番目の有効画素との間の時間間隔である（画素クロック周期の個数で算出）。ここで、固定周波数Poが大きいほど、オープンされるウィンドウの寸法は大きいが、システムの安定性に影響を与えることになるので、本実施例中の固定画素クロック周波数Poは７５Ｍｈｚであることができる。
【００５６】
上記実施例において、図３に示すように、Po>Piであると、所定寸法のオープンされたウィンドウにおいて入力ビデオの解像度の横方向のピクセルポイントを完全に出力でき、即ち、オープンされた所定寸法の表示ウィンドウの横方向の幅は、原ビデオ画像の横方向の幅よりも大きい。具体的に、ユーザが表示ウィンドウの左上隅の初期位置の横座標Ｘを０に設定すると、オープンされたウィンドウに表示される一番目の画素は入力ビデオ画像（即ち、原ビデオ画像）の一番目のピクセルポイントであって、オープンされたウィンドウの横方向のピクセルポイント数が入力画像の横方向のピクセルポイント数を超えると、入力画像の横方向の画面を完全に表示することができる。
【００５７】
図４と図５に示すように、入力画像の横方向のピクセルポイント数がオープンされたウィンドウのピクセルポイント数を超えると、オープンされたウィンドウに表示される画像は入力画像の一部の領域であって、当該領域は設定されたＸ座標によって移動され、ユーザが入力した所定の座標が（ｎ１、０）であると、処理後のビデオ画像をｎ１個の座標だけ右へ平行移動させ、ユーザが入力した所定の座標が（ｎ２、０）であると、処理後のビデオ画像をｎ２個の座標だけ右へ平行移動させる。
【００５８】
本願の上記実施例において、所定寸法の表示ウィンドウの垂直（縦）方向のポイントの最大表示可能数は、実際の入力画像の有効画素の垂直ポイント数と同じであり、例えば、１２８０*１０２４@６０ｈｚの画像解像度の場合、その表示ウィンドウの垂直ポイント数は最高で１０２４である。図６に示すように、ユーザが設定したＹ座標が０である場合、その表示ウィンドウの垂直ポイント数はちょうど、入力画像の垂直ポイント数と同じである。しかし、ＬＥＤフルカラースクリーンの実際に使用されるポイント数が不確定であるので、ユーザは図６に示す実施例に従ってＹ座標を調整して画像表示の選択を行っても良く、即ち、ユーザが入力した所定の座標（ｎ、ｍ）に基づいて、表示ウィンドウの出力ビデオ画像の第１行第１列の一番目のピクセルポイントの座標を設定する。
【００５９】
上述のように、本願の上記実施例において、ユーザがＬＥＤフルカラースクリーンの表示領域を任意に調整して、処理後のビデオ画像から画像を切り取って最適な表示映像を得ることができ、そして、図７に示すように、ユーザは、高解像度の画像について、表示ウィンドウの出力を増加してスプライス接続することができ、処理後のビデオ画像の横方向のピクセルポイント数が所定寸法の表示ウィンドウの横方向の最大ピクセルポイント数の２倍である場合、二つの表示スクリーンをスプライス接続して表示することができ、この時、ユーザが二つの表示スクリーンの所定の座標をそれぞれ（０、０）と（ｎ、０）に設定すると、二つの表示スクリーンの第１行の一番目のピクセルポイントの座標点（ｘ１、ｙ１）と（ｘ２、ｙ２）はそれぞれ（０、０）と（ｎ、０）であって、ここで、ｎ=ｘ１+１であって、図７中のｍは０であってもよい。
【００６０】
一方、設定されたＹ座標について、上記ステップを経て新たに発生したフィールド、ライン、消去信号に調整を行わなければならず、例えば、座標Ｙを１５に設定すると、新しい消去同期信号をクロックとしてカウントを行い、新しいフィールド同期ジャンプによりリセットを行って、対応する消去マスク信号を発生させなければならない。例えば、０〜１４のカウント値について、マスク信号は無効で０であるが、その他について、マスク信号は有効である。マスクされた後、０〜１４行のデータがシールドされ、同時に、フィールド同期信号が１５個の消去周期の時間値だけ後ろ向きにシフトされ、一番目の消去行データとの位相を保持する。
【００６１】
なお、新しいビデオ制御信号の発生及び操作、メモリにより読み取られたクロックはいずれも、設定された固定画素クロック周波数で行われる。
【００６２】
本願の上記実施例によれば、画像の任意領域の表示及びスプライス接続を実現することができると共に、ＬＥＤの実際応用の需要に柔軟に応えることができ、一定の低伝送ビットレートでＬＥＤスクリーンとの信号伝送を実現することができ、システムの信頼性を向上させることができる。
【００６３】
本願の上記実施例において、原ビデオ画像の信号クロック周波数に調整処理を行って処理後のビデオ画像を取得するステップは、原ビデオ画像の制御信号中の原ライン信号、原フィールド信号、原消去信号、及び原消去マスク信号を抽出することと、原ライン信号をクロックとして、原フィールド信号のジャンプ点で、原フィールド信号のリセットカウントを行ってフィールド同期信号を取得することと、固定画素クロック周波数をクロックとして、原ライン信号のジャンプ点で、原ライン信号のリセットカウントを行ってライン同期信号を取得することと、ライン同期信号をクロックとし、ライン同期信号の同期ヘッドよりも大きい時刻をジャンプ点として原消去信号のリセットカウントを行って消去同期信号を取得することと、消去同期信号をクロックとして、消去同期信号のジャンプ点で、原消去マスク信号のリセットカウントを行って消去マスク信号を取得することと、フィールド同期信号、ライン同期信号、消去同期信号、及び消去マスク信号に基づいて、処理後のビデオ制御信号を生成して、処理後のビデオ画像を取得することと、を含むことができる。
【００６４】
具体的に、原ビデオ画像の制御信号中の原ライン信号、原フィールド信号、原消去信号、及び原消去マスク信号を抽出した後、上記原ビデオ信号中の信号のクロック周波数算出を行って新しい制御信号を生成し、また、生成された新しい制御信号に基づいて処理後のビデオ画像を取得する。ここで、上記原ビデオ信号中の信号のクロック周波数算出を行うことが以下のステップによって実現される：原ライン信号をクロックとして、原フィールド信号のジャンプ点で原フィールド信号のリセットカウントを行ってフィールド同期信号を取得し、固定画素クロック周波数をクロックとして、元のライン信号のジャンプ点で原ライン信号のリセットカウントを行ってライン同期信号を取得し、ライン同期信号をクロックとし、ライン同期信号の同期ヘッドより大きい時刻をジャンプ点として、原消去信号のリセットカウントを行って消去同期信号を取得し、消去同期信号をクロックとして、消去同期信号のジャンプ点で原消去マスク信号のリセットカウントを行って消去マスク信号を取得する。
【００６５】
例えば、ビデオにより出力されたフィールド信号は元のフィールド信号（即ち、原ビデオ画像の制御信号中のフィールド信号）のジャンプを境界とし、ライン信号をクロックとして、元のフィールド信号のリセットカウントが行われ、カウントの期間、０〜ｎ１(０からｎ１まで)がフィールド信号の同期ヘッドとして設定され、フィールド信号がローレベルで、他のカウント値がハイであり、新しいフィールド同期信号（即ち、上記実施例中のフィールド同期信号）が生成される。新しいライン同期信号について、元のライン信号（即ち、原ビデオ画像の制御信号中のライン信号）のジャンプを境界とし、出力クロック（即ち、固定クロック周波数Po）をクロックとしてリセットカウントを行い、そのうち、０〜ｍ１がライン信号同期として設定され（即ち、ライン信号がローレベルである）、他のカウント値がハイであり、新しいライン同期信号（即ち、上記実施例中のライン同期信号）が生成される。新しい消去同期信号について、図８に示すように、新しい消去同期信号の生成は新しいライン同期信号をクロックとし、且つ新しい消去同期信号の同期ヘッドは新しいライン同期信号の同期ヘッドより大きい。なお、新しい消去同期信号はメモリの読取に緊密に関連つけられていて、消去信号がハイであると、メモリは所定寸法の表示ウィンドウの対応する行の一番目のデータを読み取って出力する。例えば、０〜ｍ２（ｍ２>ｍ１）がロー消去信号として設定されると、ｍ２+１からメモリの画素データが読み取られる。（ｍ２+１）〜ｍ３の期間において、消去信号はハイであって、即ち、画素データの出力時間であって、その他には、消去信号はローになる。
【００６６】
本願の上記実施例によると、原ビデオ画像を受信した後、上記方法は、ユーザが入力したコマンド信号を受信し、コマンド信号に解析処理を行って所定の横座標と所定の縦座標を取得することを更に含むことができる。
【００６７】
具体的に、図１０に示すように、当該ステップは図１０中のステップＳ２０６によって実現されることができる：ユーザのコマンド信号を受信して解析し、通常、ＳＰＩのプロトコル方式でコマンドキーワード、コマンドアドレス、コマンドデータを含むコマンドワードを伝送し、ＳＰＩプロトコルに基づく解析を経て、コマンドを、並行するアドレス、データ、制御信号に解析して対応する処理モジュールに伝送する。
【００６８】
本願の上記実施例において、原ビデオ画像の信号クロック周波数に調整処理を行って処理後のビデオ画像を取得する前、方法は、原ビデオ画像のデータ信号がＤＤＲ信号であるか否かを検知することと、原ビデオ画像のデータ信号がＤＤＲ信号である場合、原ビデオ画像のデータ信号にビット幅調整を行ってクロックシングルエッジ伝送モードの原ビデオ画像信号を取得することを更に含むことができる。
【００６９】
具体的に、当該ステップを図１０に示すデータのバッファリング及び処理ステップで完成することができ、入力されたビデオ画像（即ち、原ビデオ画像）を受信した後、原ビデオ画像中のビデオデータ信号を抽出し、当該ビデオデータ信号にデータ同期を行い、即ち、ビット幅調整を行うことができ、ビデオデータ信号がＤＤＲ信号である場合、ＤＤＲダブルエッジ入力モードをクロックシングルエッジ出力モードに調整する。
【００７０】
本願の上記実施例によると、原ビデオ画像の信号クロック周波数に調整処理を行って処理後のビデオ画像を取得した後、上記方法は、原ビデオ画像のクロック周波数を記憶クロックとし、処理後のビデオ画像の消去信号を記憶イネーブル信号として、処理後のビデオ画像にピンポン式アクセス操作を行うことを更に含むことができる。
【００７１】
具体的に、原ビデオ画像を受信した後、処理後のビデオ画像にピンポン式アクセス操作を行う。具体的に、二つのサイズが２０４８ｂｉｔ（又は４０９６ｂｉｔ）であるメモリを用いて以下の方法で実現することができる：１行周期において、その中の一つのメモリ１が記憶し、他の一つのメモリ２がビデオ画像を読み取り、次の行周期において、メモリ２が記憶し、メモリ１が読み取りを行い、交互にアクセス操作を行う。データ記憶の場合、元の入力クロックが記憶クロックとされ、消去信号が記憶イネーブル信号とされ、アドレスが０から順にクロックのティックで逓増され、行データが最左側から最右側へアドレス０から順にインクリメンタル（incrementally）にアクセスされ、各アドレスごとに一つのピクセルポイントデータのアクセスが行われる。
【００７２】
また、上記方法は、選択器によってピンポン操作が行われる読取メモリを切り替えることができ、即ち、読取メモリのデータを出力するための読取メモリに常に切り替えることができる。
【００７３】
なお、フローチャートに示すステップは１セットのコンピュータ実行可能な指令を有するコンピュータシステムで実行することができ、また、フローチャートにロジック順を示しているが、場合によって、示したステップ又は記載したステップを他の順で実行することもできる。
【００７４】
上述のように、本発明によれば、以下の技術効果を実現できる：本発明のビデオ画像の処理方法及び装置によれば、入力された画像のクロック周波数を調整して新しいライン、フィールド、消去同期信号を取得し、また、新しいビデオ画像を取得し、その後、ユーザによる画像表示需要に応じて、対応する切り取り処理を行って出力することで、既存技術において、スプライススクリーンに解像度の異なるビデオ画像を表示するためにビデオ画像に縮小又は拡大（ズーミング）処理を行うことによって表示画像のゆがみが発生するという問題を解決し、任意の解像度のビデオ画像を確実且つ安定的に最適な表示領域範囲に表示する効果を実現することができる。
【００７５】
言うまでもなく、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもできる。或いは、それらを夫々集積回路モジュールに作製し、或いはそのうちの複数のモジュール又はステップを単一の集積回路モジュールに作製して実現することができることは明らかなことである。このように、本発明は如何なる特定のハードウェアとソフトウェアの結合にも限定されない。
【００７６】
以上は、本発明の好適な実施例に過ぎず、本発明を限定するものではない。当業者であれば本発明に様々な補正や変形が可能である。本発明の精神や原則内での如何なる補正、置換、改良などは本発明の保護範囲内に含まれる。
【図１】
2016502126.tif 000013
【図２】
2016502126.tif 000014
【図３】
2016502126.tif 000015
【図４】
2016502126.tif 000016
【図５】
2016502126.tif 000017
【図６】
2016502126.tif 000018
【図７】
2016502126.tif 000019
【図８】
2016502126.tif 000020
【図９】
2016502126.tif 000021
【図１０】
2016502126.tif 000022
【国際調査報告】
2016502126.tif 000023
2016502126.tif 000024
2016502126.tif 000025
2016502126.tif 000026
2016502126.tif 000027
2016502126.tif 000028